(57)【要約】      （修正有）【課題】弁体、コイルを含む簡単な構造で信頼性の高い加減膨張弁を提供する。【解決手段】コイル２０はスペーサー２１、固定子カバー２２、固定子カバーの外側を覆う絶縁層２３を含み、スペーサーは固定子カバーにある導電連結部の第一連結部やその弁体導電連結の第二連結部に使用され、一連結部には固定子カバーの円弧面に合う接触面があり、接触面は円弧状であり、固定子カバーに溶接、固定されている。スペーサーによって接地を実現し、且つスペーサーと固定子カバーの溶接により、信頼性を確保する。【選択図】図１
0003193048.tif 000002
【実用新案登録請求の範囲】
【請求項１】
弁体、コイルを含む一種の加減膨張弁であり、その中、該コイルにはスペーサー、固定子カバーや該固定子カバーの外側に覆う絶縁層を含み、該スペーサーには固定子カバーにある導電連結部の第一連結部やその弁体導電連結の第二連結部に使用し、その特徴は、第一連結部には固定子カバーの円弧面に合う接触面があり、該接触面は円弧状であり、その接触面には固定子カバーと溶接し、固定していることを特徴とする加減膨張弁。
【請求項２】
請求項１で述べた加減膨張弁において、前記絶縁層に固定子カバーの表部分のプレナムがあり、そして第一連結部はプレナムの中にあることを特徴とする加減膨張弁。
【請求項３】
請求項２で述べた加減膨張弁において、前記第一連結部が固定子カバーの一部と溶接していることを特徴とする加減膨張弁。
【請求項４】
請求項２で述べた加減膨張弁において、前記コイルにはプレナムの中の根入れ部に充填していることを特徴とする加減膨張弁。
【請求項５】
請求項１で述べた加減膨張弁において、前記第二連結部はＬ字型であり、第二連結部の一端は第一連結部と連結していることを特徴とする加減膨張弁。
【請求項６】
請求項５で述べた加減膨張弁において、前記第二連結部のもう一端には突出している接触点を形成し、その接触点は第二連結部の第一連結部に向いている方向にあることを特徴とする加減膨張弁。
【考案の詳細な説明】
【技術分野】
【０００１】
本考案は空気調節装置分野であり、一種の加減膨張弁である。
【背景技術】
【０００２】
金属やプラスチックで構成した複合製品は自動車、家電製品、消耗性電子製品などの分野に幅広く応用している。伝統的な金属やプラスチックの複合製品は粘着技術で製造し、いわば接着剤で各種プラスチックやマグネシウム・アルミ・ステンレスなどの金属と粘着し、該複合製品は各製品の接着強度、部品精密度、複雑度などの要求に満たせにくいのである。中国特許申請ＣＮ２０１１１０２８８３２４．６には一種の加減膨張弁を公開してある。該ＣＮ２０１１１０２８８３２４．６の図３と図３−２に参考し、該切欠はＬ字型の構造であり、該切欠には弁体と合う位置固定平坦部、及び第一位置固定溝に挿入する挿入板部がある。渡り部と切欠は一体化構造であり、その中、渡り部は挿入板部の上にあるプレスで形成した舌片である。切欠がコイルに装入後、舌片がコイルのカバーと結合でき、その同時に、切欠は弁体と合わせ、コイルの接地機能を発生するのである。
上記ＣＮ２０１１１０２８８３２４．６の上記構造から、舌片はコイルのカバーと結合する際、実は平坦面と円弧面との接触となり、線接触であり、該抵抗が非常に大きく、その構造は縁側のプレス角度の緊張力でコイルとの接触を保ち、長期使用に当たってポテンシャルリスクが存在するのである。
【先行技術文献】
【特許文献】
【０００３】
【特許文献１】中国特許申請ＣＮ２０１１１０２８８３２４．６
【考案の概要】
【考案が解決しようとする課題】
【０００４】
本考案の目的は一種の簡単構造であり、信頼性の高い加減膨張弁を提供することにある。
【課題を解決するための手段】
【０００５】
上記の技術的な問題を解決するのにあたって、本考案は一種の加減膨張弁を提供し、弁体、コイルを含む一種の加減膨張弁であり、その中、コイルにはスペーサー、固定子カバーや該固定子カバーの外側に覆う絶縁層を含み、該スペーサーには固定子カバーにある導電連結部の第一連結部や該弁体導電連結の第二連結部に使用し、その特徴は、第一連結部には固定子カバーの円弧面に合う接触面があり、該接触面は円弧状であり、その接触面には固定子カバーと溶接し、固定しているのである。
【０００６】
本考案の第一連結部には、固定子カバーの表部分と適合できる形を持ち、そのため、第一連結部の接触面は固定子カバーと緊密に接触できるのであり、両者の間の接触面が増え、スペーサーと固定子カバーの間の接触面積を増加させ、スペーサーと固定子カバーの信頼性のある接触を守り、簡単構造や低コストの特徴を持っているのである。
【考案の効果】
【０００７】
背景技術で示した接地構造は直接空気の中に露出し、長期使用に当たって、該部分が錆びて、接地の効果に影響するのである。そのため、コイル２０にはプレナムの根入れ部２６に充填してあり、スペーサーを溶接後、エポキシ樹脂などの材料で根入れし、コイルの長期使用に発生する錆状況を防止するのである。
【図面の簡単な説明】
【０００８】
【図１】本考案の加減膨張弁の構造イメージ図である。
【図２】スペーサーの構造イメージ図である。
【図３】図２の俯瞰図である。
【考案を実施するための形態】
【０００９】
以下は本考案の実施例についての詳しい説明である。
図１〜図３のように、本考案は一種の加減膨張弁を提供し、弁体１０、コイル２０を含み、その中、コイル２０にはスペーサー２１、固定子カバー２２や該固定子カバー２２の外側に覆う絶縁層２３を含み、スペーサー２１には固定子カバー２２にある導電連結部の第一連結部２４や該弁体１０導電連結の第二連結部２５に使用し、第一連結部２４には固定子カバー２２の円弧面に合う接触面があり、該接触面は円弧状であり、該接触面には固定子カバー２２と溶接し、固定しているのである。該接触面は事前にプレスし形成しているものである。そのため、接触面には他の形にもあり得るのであり、固定子カバー２２の表部分と合え、接触面と固定子カバー２２の表と緊密に接触できるのであれば良いのである。該コイル２０には固定子プレート２８を含めるのである。
【００１０】
本考案の第一連結部２４には固定子カバー２２の表部分と合う形を持ち、そのため、第一連結部２４の接触面は固定子カバー２２と緊密に接触できるのであり、両者の間の接触面が増え、スペーサー２１と固定子カバーの間の接触面積を増加させ、スペーサーと固定子カバーの信頼性のある接触を守り、簡単構造や低コストの特徴を持っているのである。
【００１１】
一つ実施例の中、絶縁層２３には固定子カバー２２の表部分のプレナムがあり、そして第一連結部２４はプレナムの中にある。該プレナムには固定子カバーに押出しパックで絶縁層２３を形成する際に形成するものである。
第一連結部２４と固定子カバー２２の一部を固定し、連結するのである。例えば、第一連結部２４と固定子カバー２２の一部分を溶接し、固定する連結を形成するのである。第一連結部２４を該プレナムに挿入し、スペーサーと固定子カバーが密着状態を確認後、レーザー溶接などの方法で、第一連結部２４と固定子カバーを溶接するのである。
【００１２】
一つ実施例の中、第二連結部２５がＬ字型であり、第二連結部２５の一端は第一連結部２４と連結している。そのため、第一連結部と第二連結部がＴ字型のような構造に形成するのである。弁体と導電連結になるため、該Ｌ字型の構造によって、第二連結部２５がプレナムから外に伸ばし、弁体の方向に曲がり構造を形成できるのである。
【００１３】
第二連結部２５のもう一端には突出している接触点２７を形成し、該接触点２７は第二連結部２５の第一連結部２４に向いている方向にある。該接触点２７には突出の球面構造があり、該接触点２７を利用し、該接触点２７を固定装置３０の位置固定穴に固定し、両者の導電連結を実現するのである。
本考案のコイルの内部構造にはスペーサーによって接地を実現し、且つスペーサーと固定子カバーの溶接により、信頼性を守れるのである。
【符号の説明】
【００１４】
１０      弁体
２０      コイル
２１      スペーサー
２２      固定子カバー
２３      絶縁層
２４      第一連結部
２５      第二連結部
２６      根入れ部
２７      接触点
２８      固定子プレート
３０      固定装置
【図１】
0003193048.tif 000003
【図２】
0003193048.tif 000004
【図３】
0003193048.tif 000005